(57)【特許請求の範囲】
【請求項１】
上下端面が開口し一側に窓部を有する脚枠体内に印鑑を着脱自在に保持する印鑑保持筒を上下動自在に収納し、前記脚枠体の一側に前記窓部において出没する朱肉を内蔵した回転蓋を回転自在に枢着し、前記印鑑保持筒の上部に前記脚枠体の上部外周を覆うホルダーを冠着し、前記印鑑保持筒を常時上方に付勢した状態として、前記印鑑保持筒が最上部に位置する時には前記回転蓋が閉蓋状態となって印鑑の印面を閉塞し、前記印鑑保持筒が前記脚枠体内を下降するとそれに連動して前記回転蓋が回転して開蓋状態となって印鑑の印面を開放する印鑑ケースにおいて、前記脚枠体の一対の支持片と連結される一対の連結片を前記回転蓋に設け、閉蓋状態において上方に位置させた時に内面が前記回転蓋の外側面と前記脚枠体の外側面に当接して前記回転蓋の回転を阻止するロック部材を前記一対の連結片の間に上下スライド自在に設けたことを特徴とする印鑑ケース。
【請求項２】
前記ロック部材に長孔を設け、前記回転蓋を前記脚枠体に回転自在に枢着する軸を前記長孔に嵌挿して該軸により前記ロック部材を軸支させることにより、前記ロック部材を前記一対の連結片の間に上下スライド自在に設けた請求項１に記載の印鑑ケース。
【請求項３】
前記一対の連結片の内面と前記ロック部材の外面のうち一方に一対のスライド溝、他方に一対のスライド片を設け、前記スライド片を前記スライド溝に係止させることにより、前記ロック部材を前記一対の連結片の間に上下スライド自在に設けた請求項１に記載の印鑑ケース。
【発明の詳細な説明】
【０００１】
【発明の属する技術分野】
本発明は、未使用時には朱肉を内蔵した回転蓋が印鑑の印面を閉塞して印面に朱肉が接触し、使用時には捺印動作と連動して回転蓋が回転して印面を開放し捺印することができる印鑑ケースに関する。
【０００２】
【従来の技術】
従来より、三文判等の市販の印鑑を内部に保持し、未使用時には朱肉を内蔵した回転蓋が印鑑の印面を閉塞して印面に朱肉が接触し、使用時には捺印動作と連動して回転蓋が回転して印面を開放する印鑑ケースは知られており、例えば、実開平５−４１８４４号、実開平５−９１８５８号、実開平６−１２０５６号、特開平９−３１４９７７号等に開示されている。
【０００３】
この種の印鑑ケースは一般に、印鑑を保持する印鑑保持筒と一体化されたホルダーを押圧して下降させることにより印鑑保持筒が脚枠体内を下降し、これに連動して朱肉を内蔵した回転蓋が回転して印面が脚枠体の下端開口より露呈し捺印できるという構成となっている。そして、この種の印鑑ケースは衣服のポケットや鞄に入れて携帯されることも多いが、このような携帯時において使用者の意に反してホルダーを下降させる押圧力が加わってしまうと、印鑑保持筒が下降して閉蓋状態にあった回転蓋が回転してしまい、これにより印面が露呈してポケットや鞄の中にある物や衣服や手が朱肉で汚れてしまうという問題があった。
【０００４】
【発明が解決しようとする課題】
そこで、このような問題の解決を図った印鑑ケースとして特開平１０−２９７０２号及び特開平１１−３４４６２号に開示されたものがある。これら公報に開示された印鑑ケースは、閉蓋状態においてホルダー及び印鑑保持筒の下降を阻止して回転蓋の回転を阻止するロック機構をホルダー側面に設けたものであるが、このロック機構はホルダー側面に突出して設けてあり、そのロック機構を構成する部品のサイズも大きいので、携帯時や収納時等においてロック機構に他物が触れ易くなっている。このため、携帯時や収納時においてホルダー及び印鑑保持筒の下降を阻止したロック状態が使用者の意に反して解除されてしまう恐れがあり、ロック状態が解除されたことに気付かずそのまま携帯していると、閉蓋状態にあった回転蓋が回転して印面が露呈して、ポケットや鞄の中にある物や衣服や手が朱肉で汚れてしまうという恐れがあった。又、前記公報に開示された印鑑ケースのロック機構はホルダー側面に突出して設けてあるので印鑑ケース全体のデザインに統一感がなく見栄えが悪く、更に、ロック機構の組付けも面倒であるという問題もあった。
【０００５】
そこで、本発明はロック状態が使用者の意に反して解除されることがなく、又、ロック機構を設けることにより印鑑ケース全体の見栄えが損なわれることがなく、更に、ロック機構の組付け作業性が優れた印鑑ケースを提供することを目的とする。
【０００６】
【課題を解決するための手段】
本発明は前記した課題を解決するために、上下端面が開口し一側に窓部を有する脚枠体内に印鑑を着脱自在に保持する印鑑保持筒を上下動自在に収納し、前記脚枠体の一側に前記窓部において出没する朱肉を内蔵した回転蓋を回転自在に枢着し、前記印鑑保持筒の上部に前記脚枠体の上部外周を覆うホルダーを冠着し、前記印鑑保持筒を常時上方に付勢した状態として、前記印鑑保持筒が最上部に位置する時には前記回転蓋が閉蓋状態となって印鑑の印面を閉塞し、前記印鑑保持筒が前記脚枠体内を下降するとそれに連動して前記回転蓋が回転して開蓋状態となって印鑑の印面を開放する印鑑ケースにおいて、前記脚枠体の一対の支持片と連結される一対の連結片を前記回転蓋に設け、閉蓋状態において上方に位置させた時に内面が前記回転蓋の外側面と前記脚枠体の外側面に当接して前記回転蓋の回転を阻止するロック部材を前記一対の連結片の間に上下スライド自在に設けたことを特徴とする印鑑ケースである。
【０００７】
そして、前記ロック部材に長孔を設け、前記回転蓋を前記脚枠体に回転自在に枢着する軸を前記長孔に嵌挿して該軸により前記ロック部材を軸支させることにより、前記ロック部材を前記一対の連結片の間に上下スライド自在に設けることができる。
【０００８】
又、前記一対の連結片の内面と前記ロック部材の外面のうち一方に一対のスライド溝、他方に一対のスライド片を設け、前記スライド片を前記スライド溝に係止させることにより前記ロック部材を前記一対の連結片の間に上下スライド自在に設けることができる。
【０００９】
【発明の実施の形態】
以下、本発明の実施の形態を図面を基に説明する。図１〜図９は本発明の第一の実施形態を示すものであり、１は上下端面が開口したプラスチック製の中空状の脚枠体で、下部一側面には窓部２を設けてあり、この窓部２の上縁には中心に小孔３aを有する一対の支持片３を設けてあり、窓部２を有する側面と連続する対向二側面には窓部２と連通する一対の切欠部４を設けてある。この切欠部４は支持片３の小孔を中心とした円周上を切欠いた半円状となっている。
【００１０】
５は下端が開口したプラスチック製の中空状の印鑑保持筒で、下部側面の対向位置には上下に延びる一対の縦溝６を設けてあり、上部側面の対向位置には印鑑保持筒５の内外を連通させる一対の開口部７を設けてあり、この一対の開口部７の間に位置する側面の対向位置には一対の係止爪８を設けてあり、上端面には孔９を設けてある。この印鑑保持筒５は、開口部７側を脚枠体１の下端開口より挿入して縦溝６と切欠部４を対向させて脚枠体１の内部に上下動自在に収納するものである。又、この印鑑保持筒５の内部には三文判等の朱肉を必要とする市販の印鑑を着脱自在に保持するための筒状のカツラバネ１０を嵌挿してある。このカツラバネ１０は上下２ヵ所を内側に突出させた波状をしており、下端には側面の一部を外側に折り曲げて爪部１０aを形成してあり、この爪部１０aを印鑑保持筒５内の溝部５aに嵌入することにより印鑑保持筒５内に固定されるものである。
【００１１】
１１はプラスチック製の回転蓋で、図５に示すように側板部１２の一側には朱肉を含浸させた朱肉パッド１３が配設される朱肉皿１４を設けてあり、側板部１２の上縁には中心に小孔１５aを有する一対の連結片１５を設けてあり、側板部１２の上部両端には内方に突出する突子１６を内面に有する一対のガイド片１７を設けてある。又、一対の連結片１５の間には中心に長孔３３aを有するプラスチック製のロック部材３３を上下スライド自在に設けてある。
【００１２】
この回転蓋１１とロック部材３３の組付けは、脚枠体１の切欠部４と脚枠体１内に収納された印鑑保持筒５の縦溝６を同位置としてガイド片１７の突子１６を切欠部４と縦溝６内に位置させて、その状態で一対の連結片１５を脚枠体１に設けられた一対の支持片３の間に配置して支持片３の小孔３aと連結片１５の小孔１５aを連通させると共に、一対の連結片１５の間にロック部材３３を配置して前記小孔３ａ、１５ａとロック部材３３の長孔３３ａを連通させて、その小孔３ａ、１５aと長孔３３ａに軸１８を嵌挿して、一対の支持片３と一対の連結片１５とロック部材３３を連結することにより、回転蓋１１は脚枠体１に回転自在に枢着され、ロック部材３３は回転蓋１１の一対の連結片１５の間に軸１８により回転自在かつ上下スライド自在に軸支されるものである。このように、ロック部材３３の組付けは回転蓋１１の組付けと同時に行うことができる。
【００１３】
そして、回転蓋１１を脚枠体１に枢着した状態では、ガイド片１７の突子１６の周面は切欠部４の切欠面に常時当接し、かつ、突子１６は脚枠体１内に収納された印鑑保持筒５の縦溝６内に常時位置するものとなる。そして、図７に示すように突子１６が縦溝６の下端に当接し、かつ、回転蓋１１の側板部１２が窓部２を閉塞している時、印鑑保持筒５は下端が脚枠体１の下端開口よりも上方に位置し脚枠体１内おいて上方に抜け止めされて最上部に位置することとなり、この時、朱肉皿１４は印鑑保持筒５の下端開口を閉塞し、回転蓋１１は窓部２において脚枠体１内に没入して閉蓋状態となる。尚、回転蓋１１が閉蓋状態にある時、図７に示すようにガイド片１７の突子１６は切欠部４の上部に位置する。
【００１４】
又、一対の連結片１５の間に設けられたロック部材３３は、その一対の連結片１５に上下スライド自在に挟持された状態となるので、ロック部材３３は回転蓋１１と一体となって回転することとなる。そして、図３に示すように長孔３３aの上端が軸１８に当接してロック部材３３が最下部に位置する時、ロック部材３３の上端は連結片１５の上端と平坦に並んだ状態となって、ロック部材３３の内面は回転蓋１１の側板部１２の外側面にのみ当接した状態となるので、回転蓋１１は脚枠体１の外側方向に回転自在となる。
【００１５】
１９は下端が開口し下部一側を切欠いたプラスチック製の中空状のホルダーで、上部側面の対向位置には印鑑保持筒５の開口部７に対応する一対の開口部２０を設けてあり、この一対の開口部２０の間に位置する側面の対向位置には印鑑保持筒５の係止爪８に対応する一対の係止孔２１を設けてある。このホルダー１９の組付けは、印鑑保持筒５を内部に収納した脚枠体１の上端面に弾発部材２２を配設した状態で、脚枠体１の上端開口より突出した印鑑保持筒５の係止爪８を係止孔２１に係止させることにより印鑑保持筒５に冠着するもので、これにより、ホルダー１９は脚枠体１の上部外周を覆った状態で印鑑保持筒５と連結されて一体化されるものである。尚、本実施の形態では弾発部材２２としてコイルスプリングを使用している。
【００１６】
そして、ホルダー１９を印鑑保持筒５に冠着した時、図３に示すように弾発部材２２の一端は脚枠体１の上端面に当接し他端はホルダー１９内の環状段部２３に当接して、印鑑保持筒５はホルダー１９と共に常時上方に付勢された状態となり、これにより、印鑑保持筒５は常時脚枠体１内の最上部に位置した状態となり、回転蓋１１は常時閉蓋状態となる。
【００１７】
又、ホルダー１９の上端面中央には孔２４を設けてあり、上端外面の孔２４の周縁には上端が開口し外周に雄ねじが形成してある中空状のねじ筒２５を突設してある。このねじ筒２５には、内面に雌ねじが形成され中心に軸部２６を有するプラスチック製の高さ調整部材２７を螺着してあり、図３に示すようにこの高さ調整部材２７の軸部２６はねじ筒２５内を貫通して、下端がホルダー１９の孔２４と印鑑保持筒５の孔９を介して印鑑保持筒５内に突出している。この高さ調整部材２７を回転させると、高さ調整部材２７の雌ねじとねじ筒２５の雄ねじの螺合により高さ調整部材２７はねじ筒２５に対して上下動し、これにより、軸部２６の下端は印鑑保持筒５内で上下動する。
【００１８】
２８は下端が開口したプラスチック製の中空状のホルダーキャップであり、内側面対向位置には一対の突起２９を設けてあり、この突起２９と、ホルダー１９の上部側面の対向位置に設けられた一対の突起３０を乗り越え嵌合させることにより、ホルダーキャップ２８はホルダー１９の上部に着脱自在に冠着するものである。このホルダーキャップ２８は印鑑保持筒５の上部に設けられた一対の開口部７やホルダー１９の上部に設けられた一対の開口部２０や高さ調整部材２７等を覆い隠すものである。
【００１９】
次に、以上のように構成された本実施の形態による印鑑ケースの使用方法を説明する。まず、印鑑ケースに印鑑３１を取り付ける場合には、図３に示すようにロック部材３３を最下部に位置させたロック解除状態でホルダー１９を弾発部材２２の弾発力に抗して押圧して脚枠体１に対して押し下げると、回転蓋１１は印鑑保持筒５により押圧され、この押圧力により回転蓋１１は図８に示すように朱肉皿１４の上面が印鑑保持筒５の下端角部３４に当接しながら脚枠体１の外側方向に回転し、この回転蓋１１の回転と共に印鑑保持筒５は脚枠体１内を下降する。
【００２０】
そして、印鑑保持筒５の下端開口が脚枠体１の下端開口に位置するまでホルダー１９を押し下げると、回転蓋１１は図９に示すようにその朱肉皿１４が窓部２より脚枠体１の外側に完全に突出した状態となるまで回転し、このように回転蓋１１が開蓋状態となった時、印鑑保持筒５の下端開口は開放される。ここで、印鑑保持筒５が脚枠体１内を下降して回転蓋１１が脚枠体１の外側方向に回転する時、図７及び図８及び図９に示すようにガイド片１７の突子１６はその周面が脚枠体１の切欠部４の切欠面に当接しながら切欠部４の下方に移動し、かつ、突子１６は印鑑保持筒５の縦溝６の上方に移動するものであり、印鑑保持筒５の溝部６は回転蓋１１の回転を妨げない大きさに設定されるものである。
【００２１】
そして、図９に示すようにホルダー１９を押し下げて回転蓋１１を開蓋状態として印鑑保持筒５の下端開口を開放したら、この状態を保ちながら印鑑保持筒５の下端開口より印鑑３１を挿入して、印鑑３１を印鑑保持筒５に保持させる。この時、印鑑３１の上端が高さ調整部材２７の軸部２６下端面に当接するまで印鑑３１を挿入する。尚、図３に示すように印鑑３１の上端が高さ調整部材２７の軸部２６下端面に当接した時、印鑑３１の上部は図６に示すように印鑑保持筒５の上部にある開口部７の部分に位置し、印鑑３１の印面３２は図３に示すように印鑑保持筒５の下端開口より下方に若干突出した状態となる。
【００２２】
そして、印鑑３１の上端が高さ調整部材２７の軸部２６下端面に当接したら、ホルダー１９への押圧を解く。すると、印鑑保持筒５は弾発部材２２の弾発力により脚枠体1内を上昇し、これに伴いガイド片１７の突子１６は縦溝６の下端に接近していく。そして、図８に示すように突子１６が縦溝６の下端に当接した後に印鑑保持筒５が脚枠体1内を更に上昇すると、突子１６と縦溝６下端の当接により回転蓋１１はその朱肉皿１４の上面が印鑑保持筒５の下端角部３４に当接しながら脚枠体１の内側方向に回転する。尚、回転蓋１１が脚枠体１の内側方向に回転する時、ガイド片１７の突子１６はその周面が脚枠体１の切欠部４の切欠面に当接しながら切欠部４の上方に移動する（図８→図７参照）。
【００２３】
そして、印鑑保持筒５が最上部に位置した時、回転蓋１１は図７に示すように閉蓋状態となって回転蓋１１の側板部１２は窓部２を閉塞し、朱肉皿１４は図３に示すように印鑑３１の印面３２を閉塞して印面３２に朱肉パッド１３が接触する。これにより、印鑑３１の未使用時には印面３２に朱肉が常時付着した状態となる。以上の作業により印鑑３１の取り付けが完了する。
【００２４】
ここで、本実施の形態では、図７及び図８及び図９に示すように回転蓋１１が回転する際にその朱肉皿１４上面が当接する印鑑保持筒５の下端角部３４をＲ形状としてあり、回転蓋１１が回転する際にはガイド片１７の突子１６の周面が切欠部４の切欠面に常時当接しているので、回転蓋１１はがたつくことなくスムースに開閉する。
【００２５】
次に、本実施の形態の印鑑ケースに取り付けた印鑑３１の印面向きを調整する場合には、図６に示すようにホルダーキャップ２８を取り外した後、前記した印鑑取り付け時と同様にロック部材３３を最下部に位置させてロック解除状態とし、その状態でホルダー１９を弾発部材２２の弾発力に抗して押圧して押し下げて印鑑保持筒５を脚枠体１内にて下降させ、回転蓋１１を脚枠体１の外側方向に回転させて図９に示すように開蓋状態にする。そして、その状態を保持して印面３２を確認しながら、図６に示す印鑑保持筒５上部の一対の開口部７及びホルダー１９上部の一対の開口部２０において露呈する印鑑３１の上部を指で摘んで周方向に回転させて印面向きを調整する。そして、印面向きの調整が完了したら、前記した印鑑取り付け時と同様にホルダー１９への押圧を解いて、回転蓋１１を図７に示すように完全に閉じた状態にする。このように、本実施の形態では、印鑑保持筒５の開口部７及びホルダー１９の開口部２０において印鑑保持筒５内に保持させた印鑑３１の上部が露呈し、この開口部７、２０より露呈する部分を指で摘むことにより印面向きを調整することができるので、印面向きの調整をする際に印鑑３１を取り外す必要はなく、又、指が汚れることもない。
【００２６】
次に、本実施の形態の印鑑ケースに取り付けた印鑑３１の印面３２と朱肉パッド１３の接触状態を調整する場合には、図６に示すようにホルダーキャップ２８を取り外して高さ調整部材２７を回転させて、この高さ調整部材２７の軸部２６を印鑑保持筒５内で上下動させることにより、印鑑保持筒５の下端開口における印鑑３１の印面３２の突出量を調整することができる。これにより、印面３２に付着する朱肉の量を適正にすることができる。
【００２７】
次に、本実施の形態のケースに取り付けた印鑑３１を捺印する場合には、図３に示すようにロック部材３３を最下部に位置させてロック解除状態とし、その状態で脚枠体１を捺印位置に置いて、前記した印鑑取り付け時と同様にホルダー１９を弾発部材２２の弾発力に抗して押圧して押し下げ、印鑑保持筒５を脚枠体１内にて下降させて回転蓋１１を脚枠体１の外側方向に回転させて、回転蓋１１を図９に示すように開蓋状態とする。すると、朱肉が付着した印面３２が脚枠体１の下端開口より露呈して捺印することができる。そして、捺印が完了したら、前記した印鑑取り付け時と同様にホルダー１９への押圧を解いて、回転蓋１１を図７に示すように完全に閉じた状態にする。
【００２８】
次に、本印鑑ケースを使用しない時、即ち、携帯時や収納時においては、図４に示すように長孔３３ａの下端が軸１８に当接するまでロック部材３３を上方にスライドさせて最上部に位置させる。すると、図４に示すようにロック部材３３の下部内面は回転蓋１１の側板部１２の外側面に当接し、かつ、ロック部材３３の上部内面は脚枠体１の外側面に当接する。そして、この状態にてホルダー１９を弾発部材２２の弾発力に抗して押圧して押し下げて印鑑保持筒５を脚枠体１内にて下降させようとすると、前述したようにロック部材３３の下部内面が回転蓋１１の側板部１２の側面に当接し、かつ、ロック部材３３の上部内面が脚枠体１の側面に当接しているので、脚枠体１の外側方向への回転蓋１１の回転は阻止され、これにより、ホルダー１９と印鑑保持筒５の下降も阻止される。
【００２９】
このように、ロック部材３３を最上部に位置させたロック状態では、回転蓋１１の回転が阻止され、ホルダー１９と印鑑保持筒５の下降が阻止されるので、携帯時や収納時において回転蓋１１が使用者の意に反して回転して印面が露呈することを防止することができ、ポケットや鞄の中にある物や衣服や手が朱肉により汚れることを防止することができる。又、ロック部材３３は一対の連結片１５の間に設けるものとしているので、このロック部材３３は比較的小さな部品で構成することができ、脚枠体１と回転蓋１１の連結部分に一体化して設けることができるので、携帯時において使用者の意に反してロック状態が簡単に解除されることを防止することができ、又、印鑑ケース全体の見栄えを損なうこともない。
【００３０】
尚、ロック部材３３を最上部に位置させたロック状態とロック部材３３を最下部に位置させたロック解除状態を確実に保持するために、連結片１５の内側面とロック部材３３の外側面、もしくは、ロック部材３３の内側面と回転蓋１１の側板部１２及び脚枠体１の外側面に、互いに乗り越え嵌合する突起や凹凸を設けても良い。
【００３１】
次に、本発明の第二の実施形態を図１０にて説明する。尚、ここでは、前記した第一の実施形態と異なる点のみ説明する。第二の実施形態では、脚枠体１に設けられた一対の支持片３’の内側面に凹部３ｂを設け、回転蓋１１に設けられた一対の連結片１５’の外側面に凸部１５ｂを設け、この凸部１５ｂを前記凹部３ｂに回転自在に嵌合することにより、回転蓋１１を脚枠体１に回転自在に枢着してある。そして、一対の連結片１５’の内側面に上下に延びるスライド溝１５ｃを設け、一対の連結片１５の間に設けられるロック部材３３’の外側面に前記スライド溝１５ｃにスライド自在に係合する一対のスライド片３３ｃを設け、このスライド片３３ｃを前記スライド溝１５ｃに係合させることにより、ロック部材３３’を一対の連結片１５の間に上下スライド自在に設けてある。以上が前記した第一の実施形態と異なる点であり、他の構成は前記した第一の実施形態と同一である。尚、図１０はスライド片３３ｃの下端がスライド溝１５ｃの下端に当接して、ロック部材３３’が最下部に位置したロック解除状態を示すものである。
【００３２】
以上の構成による第二の実施形態の印鑑ケースにおいて、ロック部材３３’を上方にスライドさせると、ロック部材３３’はスライド片３３ｃの上端がスライド溝１５ｃの上端に当接するまで上方に移動し、スライド片３３ｃの上端がスライド溝１５ｃの上端に当接した時、ロック部材３３’は最上部に位置する。このようにロック部材３３’が最上部に位置した時、前記した第一の実施形態と同様にロック部材３３’の下部内面が回転蓋１１の側板部１２の外側面に当接し、かつ、ロック部材３３’の上部内面が脚枠体１の外側面に当接したロック状態となって、回転蓋１１の回転が阻止されてホルダー１９と印鑑保持筒５の下降が阻止されるので、携帯時や収納時に回転蓋１１が使用者の意に反して回転して印面が露呈するのを防止することができ、ポケットや鞄の中にある物や衣服や手が朱肉により汚れることを防止することができる。又、ロック部材３３’は一対の連結片１５’の間に設けるものとしているので、このロック部材３３’は比較的小さな部品で構成することができ、脚枠体１と回転蓋１１の連結部分に一体化して設けることができるので、携帯時や収納時において使用者の意に反してロック状態が簡単に解除されることを防止することができ、又、印鑑ケース全体の見栄えを損なうこともない。
【００３３】
尚、ロック部材３３’を最上部に位置させたロック状態とロック部材３３’を最下部に位置させたロック解除状態を確実に保持するために、スライド溝１５ｃとスライド片３３ｃに互いに乗り越え嵌合する突起や凹凸を設けても良い。又、一対の連結片１５’の内側面にスライド片を設け、ロック部材３３’の外側面に前記スライド片に対応するスライド溝を設けても良い。
【００３４】
以上、本発明の実施の形態として第一、第二の実施形態を説明してきたが、本発明は前記した実施の形態に限定されるものではなく、回転蓋１１を開閉させる機構も前記した実施の形態によるもの以外の公知の構成であっても良い。
【００３５】
【発明の効果】
以上の通り、本発明の印鑑ケースでは、回転蓋の回転を阻止してホルダーと印鑑保持筒の下降を阻止するロック部材を回転蓋の一対の連結片の間に設け、そのロック部材は比較的小さな部品で脚枠体と回転蓋の連結部分に一体化して設けるものとしたので、次のような効果を奏するものである。
▲１▼携帯時や収納時においてロック状態が使用者の意に反して解除されることを防止することができ、これにより、携帯時や収納時において回転蓋が使用者の意に反して回転して印面が露呈することを防止し、ポケットや鞄の中にある物や衣服や手が朱肉により汚れることを防止することができる。
▲２▼従来のようにロック機構を設けることにより印鑑ケース全体の見栄えが損なわれるといったこともなく、デザイン性に優れたものである。
▲３▼ロック部材の組付けを回転蓋の組付けと同時に行うことができるので、組付け作業性に優れたものである。
【図面の簡単な説明】
【図１】本発明の第一の実施形態の分解斜視図。
【図２】本発明の第一の実施形態の要部拡大分解斜視図。
【図３】本発明の第一の実施形態のロック解除状態の断面図。
【図４】本発明の第一の実施形態のロック状態の断面図。
【図５】本発明の第一の実施形態の回転蓋の断面図。
【図６】本発明の第一の実施形態のホルダーキャップを外した正面図。
【図７】本発明の第一の実施形態の閉蓋状態を示す説明図。
【図８】本発明の第一の実施形態の回転蓋作動状態を示す説明図。
【図９】本発明の第一の実施形態の開蓋状態を示す説明図。
【図１０】本発明の第二の実施形態の要部拡大正面図。
【符号の説明】
１  脚枠体
２  窓部
３、３’支持片
３ａ  小孔
３ｂ  凹部
４  切欠部
５  印鑑保持筒
６  縦溝
７  開口部
８  係止爪
９  孔
１０  カツラバネ
１１  回転蓋
１２  側板部
１３  朱肉パッド
１４  朱肉皿
１５、１５’連結片
１５ａ  小孔
１５ｂ  凸部
１５ｃ  スライド溝
１６  突子
１７  ガイド片
１８  軸
１９  ホルダー
２０  開口部
２１  係止孔
２２  弾発部材
２３  環状段部
２４  孔
２５  ねじ筒
２６  軸部
２７  高さ調整部材
２８  ホルダーキャップ
２９  突起
３０  突起
３１  印鑑
３２  印面
３３、３３’ロック部材
３３ａ  長孔
３３ｂ  スライド片
３４  下端角部
【図１】
0004669161.tif 000002
【図２】
0004669161.tif 000003
【図３】
0004669161.tif 000004
【図４】
0004669161.tif 000005
【図５】
0004669161.tif 000006
【図６】
0004669161.tif 000007
【図７】
0004669161.tif 000008
【図８】
0004669161.tif 000009
【図９】
0004669161.tif 000010
【図１０】
0004669161.tif 000011